(57)【要約】【課題】ナースコール親機及び廊下灯の表示部が待機動作中であっても呼び出しや警報などが発生した場合に、確実に看護師などに知らせることができることを課題とする。【解決手段】ナースコール親機及び廊下灯は、各種情報を表示する表示部と、各種操作のための操作部とを備え、操作部が操作されたことを監視して所定時間操作がなかった場合には表示部を待機動作に移行させる表示制御手段と、ナースコール子機からの呼び出しを受信する手段と、呼び出しを受信した際に表示制御手段における待機動作を継続したままで呼び出しを実施した患者の患者情報を医療従事者が呼び出しに応答するまでポップアップ表示するポップアップ表示制御手段とを備える。【選択図】図１
2007300333.tif 000002
【特許請求の範囲】
【請求項１】
通話機能を有する複数のナースコール子機と、前記複数のナースコール子機が通話するために接続されたナースコール親機と、前記複数のナースコール子機からの呼び出しを看護師に知らせるために病室の入り口近傍に設けられた廊下灯とから構成されるナースコールシステムにおいて、
前記ナースコール親機及び前記廊下灯は、各種情報を表示する表示部と、各種操作のための操作部と、操作部が操作されたことを監視して所定時間操作がなかった場合には前記表示部を待機動作に移行させる表示制御手段と、前記ナースコール子機からの呼び出しを受信する手段と、
呼び出しを受信した際に前記表示制御手段における待機動作を継続したままで呼び出しを実施した患者の患者情報を医療従事者が呼び出しに応答するまでポップアップ表示するポップアップ表示制御手段と、
を備えることを特徴とするナースコールシステム。
【請求項２】
前記待機動作は、予め設定した待機画面の表示、スクリーンセーバの起動による表示、前記表示部の電源の遮断のいずれか、または、時間経過に拠り順次切り替える表示であることを特徴とする請求項１記載のナースコールシステム。
【請求項３】
前記ポップアップ表示は、時間経過と共に逐次表示位置を移動することを特徴とする請求項１及び請求項２のいずれか一項に記載のナースコールシステム。
【発明の詳細な説明】
【技術分野】
【０００１】
本発明は、病院や福祉介護施設で使用されるナースコールシステムに関する。
【背景技術】
【０００２】
周知の様に、病院や福祉介護施設では主に看護師（福祉介護施設では介護士など）と患者が通話す
る為のナースコールシステムが設置されている。このナースコールシステムでは、患者が呼び出
しに使用する呼び出し子機が各ベッドに備えられ、ナースステーションにはナースコール親機が設
置されていて、その間で通話できるようになっている。（特許文献１を参照）
【０００３】
ナースコール親機及び廊下灯には、患者からのナースコール呼び出しがあると、呼び出し患者を示す患者情報を表示する表示部を備える。この表示部は、一定時間以上操作が行われない場合には消費電力の節減や表示の寿命伸長のために、表示部の電源を遮断したり、スクリーンセーバーを起動させたりするなどの待機動作を行う。
【０００４】
スクリーンセーバの起動と表示部の電源遮断は、起動するまでの時間がそれぞれ設定されている。また、この待機動作中に何らかの操作が行われると、待機動作が解除され通常の表示状態に戻る。（特許文献２を参照）
【特許文献１】特許第２８８７５５２号公報
【特許文献２】特許公開２００１−０９２５７０号公報
【発明の開示】
【発明が解決しようとする課題】
【０００５】
表示部が待機動作中の状態である時に、患者から呼び出しがあったり、警報信号を外部の装置から受信したり、患者情報やイベントに変化があっても、一般にイベントの変化は操作を伴わないために待機動作を継続して呼び出しやイベントが表示画面に表示されない。呼び出しや警報に対しては音を鳴動して看護師などに知らせることができるが、何らかの操作をしないと内容を見ることができない。
【０００６】
表示部が待機動作中の状態である時に、患者から呼び出しがあったり、警報信号を外部の装置から受信したり、患者情報やイベントに変化があると待機動作を解除して発生した内容を表示部へ表示することが可能であるが、ナースコールシステムでは呼び出しが頻繁に発生することもあるため、その度に待機動作を解除していてはスクリーンセーバや電源遮断の効果が減じてしまう。
【０００７】
本発明は、上記のような課題を解決するために成されたものであり、表示部が待機動作中であっても呼び出しや警報などが発生した場合に、確実に看護師などに知らせることができることを目的とする。
【課題を解決するための手段】
【０００８】
ナースコール親機及び廊下灯は、各種情報を表示する表示部と、各種操作のための操作部とを備え、操作部が操作されたことを監視して所定時間操作がなかった場合には表示部を待機動作に移行させる表示制御手段と、ナースコール子機からの呼び出しを受信する手段と、
呼び出しを受信した際に表示制御手段における待機動作を継続したままで呼び出しを実施した患者の患者情報を医療従事者が呼び出しに応答するまでポップアップ表示するポップアップ表示制御手段とを備える。
【０００９】
ポップアップ表示制御手段は、ポップアップ表示位置を時間経過と共に逐次移動する手段を備える。
【発明の効果】
【００１０】
本発明は、表示部が待機動作中であっても呼び出しや警報などが発生した場合に、呼び出し等を確実に看護師などに知らせることができ、かつ待機動作の効果を減ずることが無い。
【発明を実施するための最良の形態】
【００１１】
以下、本発明の一実施形態を図面に基づいて説明する。図１は、ナースコール親機及び廊下灯の内部構成を示す。図１において、表示部（１）は液晶表示やプラズマ表示、ＥＬ（エレクトロ・ルミネセンス）表示、ＬＥＤ（発光ダイオード）表示など特に表示素子は限定しないが、文字・図形・ランプ表示が可能なものとする。
【００１２】
表示制御部（３）は、表示部（１）を制御する機能を持ち、表示内容を保持する画像メモリや待機動作機能などを持つ。
【００１３】
操作部（２）は、キーボードやマウスや画面タッチパネル、操作ボタンなどの手段で操作を行える部位であり、操作制御部（４）は操作部（２）と制御処理部（５）の仲介機能や操作の制御機能を持つ。  操作制御部（４）では、操作が行われなくなってから予め設定された時間が経過すると、待機動作を知らせる情報を制御処理部（５）へ送る。
【００１４】
待機動作の情報を受けた制御処理部（５）は、表示制御部（３）に待機動作の指示を出して表示の待機動作へ移行する。
【００１５】
制御処理部（５）は、ナースコール親機または廊下灯の全体の動作を制御し、動作の内容は記憶部（６）にプログラムとして書き込まれている。
【００１６】
呼出し受信部（７）は、ナースコール子機からの呼び出しを受ける部位であり、ナースコール親機では廊下灯を経由して呼び出し信号を受け、廊下灯ではナースコール子機から直接呼出し信号を受け取る。また、呼び出し信号だけでなく各種情報の授受や呼び出しに対して看護師などが応答すると、通話路を形成して患者と看護師の間で通話することができる。図１では通話部は省略して表記していない。
【００１７】
呼出し受信部（７）が呼び出しを受け付けると、制御処理部（５）へ伝達し、制御処理部（５）は呼び出した患者情報を記憶部（６）から読み出して表示制御部（３）へ送り、表示部（１）に患者情報をポップアップ表示する。
【００１８】
呼び出しが発生した時に表示部（１）が待機動作中であると、従来は呼び出しのポップアップ表示を行わずに待機動作を継続するか、待機動作を停止して通常画面にポップアップ表示を表示していた。ポップアップ表示を行わないと、鳴動音だけでは呼び出しに気付くのが遅れてしまう。また、呼び出しの度に待機画面から通常画面に戻すと、呼び出しが頻繁に発生した場合に待機動作の効果が無くなる。
【００１９】
そこで、表示制御部（３）では待機動作を維持しつつ、呼び出しのポップアップ表示を重ね合わせて表示する様に制御する。ただし、待機動作で表示部（１）の電源が遮断されていたり、液晶表示の場合にバックライトが消灯されていたりした場合には、電源を投入したりバックライトを点灯してポップアップ表示だけが表示できる様に制御する。
【００２０】
ポップアップ表示は、呼び出しに対して応答がなされるまで、または呼び出しの復旧操作が行われるまで表示を継続する。制御処理部（５）は、応答信号または復旧信号を受け取ると表示制御部（３）へポップアップ表示の消去を伝達する。
【００２１】
外部接続部（８）は、ナースコール子機との接続以外の外部装置との接続をする部位であり、ナースコール親機では院内ＬＡＮ（ローカル・エリア・ネットワーク）や携帯電話接続装置などがあり、廊下灯ではナースコール親機との接続や病室内の各機器（人工呼吸器など）との接続がある。表示部（１）でのポップアップ表示は、ナースコールの呼び出しに限定する必要は無く、外部接続部（８）から入力される各種イベントの内、看護師に至急通知する必要がある情報、例えば人工呼吸器の停止などの情報を表示しても良い。これらの情報を受け取った制御処理部（５）は、表示部（１）が待機動作中であっても表示制御部（３）へ待機動作を維持しつつポップアップ表示を重ね合わせて表示する様に指示する。
【００２２】
図２は、予め設定された時間を経過しても操作が実施されない場合に表示部（１）を待機動作に移行させる動作を説明したフロー図である。操作が行われる度に監視するタイマーＴ１はリセットされ、再起動する（ステップＳ２）。操作があるか否かを監視し（ステップＳ３）、操作があると表示部（１）は通常画面になり待機動作中であれば待機動作は解除され、タイマーＴ１はリセットされて再起動する（ステップＳ１４）。
【００２３】
操作が所定時間行われないと（ステップＳ４）、待機動作に移行する。ここでは予め設定されている時間Ａを経過すると待機動作に移行する（ステップＳ５へ）。
【００２４】
ステップＳ５では予め設定してある待機画面を記憶部（６）から読み出して表示部（１）へ表示する。
【００２５】
さらに、操作が行われずに時間Ｂが経過するとスクリーンセーバーが起動する（ステップＳ６、Ｓ７、Ｓ８）。
【００２６】
スクリーンセーバーが起動され、時間Ｃが経過しても操作が行われないで、かつポップアップが表示中でなければ表示部（１）の電源が遮断される（ステップＳ９、Ｓ１０、Ｓ１１、Ｓ１２）。
【００２７】
電源が遮断された後、操作があると通常画面に戻る（ステップＳ１３、Ｓ１４）。
【００２８】
図２のフロー図では、待機動作は、待機画面  →  スクリーンセーバー  →  電源遮断    の順に示したが、待機画面が無くいきなりスクリーンセーバーに移行しても良いし、電源遮断に移行しても良い。また、スクリーンセーバーに移行するのみで電源遮断を採用しなくても良い。どのような順序にするかは設定で決められる。
【００２９】
図３は、ナースコール呼び出しが発生した場合に、呼び出しを行った患者のポップアップ表示をどのように行うかを示したフロー図である。図３において、ナースコール呼び出しが発生（ステップＳ２１）すると、表示部（１）が待機動作中（ステップＳ２２）であるとステップＳ２３へ、待機動作中でないとステップ２７へ移行する。
【００３０】
ステップＳ２３では、待機動作画面と呼び出しのポップアップ表示を重ね合わせて表示する。図２で示す様に待機動作がスクリーンセーバーであれば、スクリーンセーバーの表示画面の上にポップアップ表示がされる。電源遮断中であれば、表示部の電源を投入してから表示する。
【００３１】
ナースコール呼び出しに対して応答が成されなければ（ステップＳ２５）ポップアップの表示位置を少しづつ移動して表示を継続する（ステップＳ２４）。
ポップアップの表示位置を移動していく理由は、スクリーンセーバーと同様の理由（表示画面の焼き付け防止や寿命を伸長のため）の他に、看護師などに表示の移動で目立つようにして注意を喚起するためでもある。
【００３２】
呼び出しに対する応答があるとナースコール親機と子機の間で通話が開始されるが、同時に表示部ではポップアップ表示は消去され元の待機画面に戻る（ステップＳ２６）。
【００３３】
ナースコール呼び出しが発生した場合に待機動作中ではないと、通常画面にポップアップ表示が表示され（ステップＳ２７）、呼び出しの応答があるまで表示を継続する（ステップＳ２８、Ｓ２９）。
【００３４】
図３では、ナースコール呼び出しに対するポップアップ表示の動作を示したが、他のイベントに対するポップアップ表示であっても構わない。図２と図３の動作は独立しているものではなく、交互に関連している。例えば、図３において通常画面でポップアップ表示している時（ステップＳ２７）に操作も応答も所定時間行われないと、待機動作（例えばスクリーンセーバーの画面）になる。この場合もポップアップ表示はスクリーンセーバーに重ね合わせて表示されることは言うまでもない。
【図面の簡単な説明】
【００３５】
【図１】ナースコール親機および廊下灯の内部構成
【図２】待機動作に移行するフロー図
【図３】ナースコール呼び出し時の表示動作のフロー図
【符号の説明】
【００３６】
１    表示部
２    操作部
３    表示制御部
４    操作制御部
５    制御処理部
６    記憶部
７    呼出し受信部
８    外部接続部
【図１】
2007300333.tif 000003
【図２】
2007300333.tif 000004
【図３】
2007300333.tif 000005